(57)【要約】      （修正有）【課題】揺れ動きの幅の差別化機能付きバランスボードを提供する。【解決手段】第一軸方向支持部は、弾性支持ユニット２０の着地側にあり、第一軸方向に沿って設けられ、それにより、踏み板１０が第一軸方向で上下に揺れ動くようになり、また、第二軸方向支持部は、弾性支持ユニットの着地側にあり、第二軸方向に沿って設けられ、それにより、使踏み板が第二軸方向で上下に揺れ動くようになるが、該第二軸方向と第一軸方向が相互に直交しているが、それに、該第二軸方向支持部と第一軸方向支持部の両者は形態が異なるように設けられ、使用者が該踏み板の第一軸方向に力を入れて踏んだときに生じた揺れ動きの幅が、踏み板の第二軸方向に力を入れて踏んだときに生じた揺れ動きの幅より大きく、それにより、バランスボードＡに揺れ動きの幅の差異化機能と使用效果を持たせるように設けられている。【選択図】図７
0003173999.tif 000002
【実用新案登録請求の範囲】
【請求項１】
板状で、踏み面１１と底面１２を備えてなる踏み板１０、
弾性構造で、地面に突き立てるための着地側２１、及び組み合わせにより踏み板１０の底面１２に設けられる取付側２２を備えてなる、少なくとも一つ弾性支持ユニット２０が備わり、該弾性支持ユニット２０は、中空エアバッグ、弾性ソリッド芯材、弾性中空材、弾性フレームのいずれかの一つで作られており、
該弾性支持ユニット２０の着地側２１にあり、第一軸方向３１に沿って設けられた第一軸方向支持部３０が備わり、それにより、踏み板１０が第一軸方向３１で上下に揺れ動くようになり、
該弾性支持ユニット２０の着地側２１にあり、第二軸方向４１に沿って設けられた第二軸方向支持部４０が備わり、それにより、踏み板１０が第二軸方向４１で上下に揺れ動くようになるが、該第二軸方向４１と第一軸方向３１が相互に直交するようになされており、
また、該第二軸方向支持部４０と第一軸方向支持部３０の両者は、形態が異なるように設けられ、使用者が該踏み板１０の第一軸方向３１に力を入れて踏んだときに生じた揺れ動きの幅が、使用者が踏み板の第二軸方向４１に力を入れて踏んだときに生じた揺れ動きの幅より大きくなり、それにより、バランスボードＡに揺れ動きの幅の差異化機能と使用效果を持たせるように設けられていることを特徴とする揺れ動きの幅の差別化機能付きバランスボード。
【請求項２】
該弾性支持ユニット２０は、半球体で、二組が間隔を開け、組み合わせで踏み板１０の底面１２に設けられ、それにより、該半球体の二弾性支持ユニット２０の着地側２１が共に該第一軸方向支持部３０を構成することになり、また、該二弾性支持ユニット２０の半球体からなるカーブ面が該第二軸方向支持部４０を構成することになり、それにより、使用者が該踏み板１０の第一軸方向３１に力を入れて踏んだときに生じた揺れ動きの幅が、使用者が踏み板の第二軸方向４１に力を入れて踏んだときに生じた揺れ動きの幅より大きくなるように設けられていることを特徴とする請求項１に記載の揺れ動きの幅の差別化機能付きバランスボード。
【請求項３】
間隔を開けて配置された該二弾性支持ユニット２０の間にある踏み板１０底面１２の真ん中の位置には更に、球状支持ユニット５０が組み合わさっており、そして該球状支持ユニット５０の底部の突き出た長さが、二弾性支持ユニット２０の着地側２１の突き出た長さより長く設けられていることを特徴とする請求項２に記載の揺れ動きの幅の差別化機能付きバランスボード。
【請求項４】
該弾性支持ユニット２０は、横置き半円柱の外観で、単一で踏み板１０底面１２の中間セクションに組み合わせ、配置されており、該横置き半円柱の外観からなる弾性支持ユニット２０は、柱状に伸びた側方向が該第一軸方向支持部３０を、その半円形側方向が該第二軸方向支持部４０を形成するが、それにより、使用者が該踏み板１０の第一軸方向３１に力を入れて踏んだときに生じた揺れ動きの幅が、使用者が踏み板の第二軸方向４１に力を入れて踏んだときに生じた揺れ動きの幅より大きくなるように設けられていることを特徴とする請求項１に記載の揺れ動きの幅の差別化機能付きバランスボード。
【請求項５】
該弾性支持ユニット２０の取付側２２と踏み板１０底面１２の間には対向して、相互に嵌め合い、位置が決められるオス、メス嵌合部２０１、１０１が設けられており、該踏み板１０の両側には更に、縄引ユニット７０が設けられ、該縄引ユニット７０は、取っ手７１、縄７２、取付ユニット７３、及び該踏み板１０の両側にあり、取付ユニット７３に対応するための取付部７４を備えてなることを特徴とする請求項１または２または４に記載の揺れ動きの幅の差別化機能付きバランスボード。
【考案の詳細な説明】
【技術分野】
【０００１】
本考案は、バランスボードに関わり、特に、揺れ動き難易度の差別化機能を有するバランスボードに関する。
【背景技術】
【０００２】
バランスボードは、使用者の身体のバランス感をトレーニングするための専門的なスポーツ・エクササイズグッズである。  
【０００３】
従来のバランスボードの構造形態は設計上、通常は踏み板の底部に半球形の支持ユニットを設けてなるものであり、該半球形の支持ユニットは、弾性のある構造または硬性構造に設けられてもよく、点状の支持特性により、使用者が該踏み板を踏んでいるとき、揺れ動き方向がどれも不安定な状態にあるため、使用者がバランスを取るために、ずっと左足または右足の踏み力を調整して、バランス感をトレーニングする目的を達成させるようにする。しかし、このような従来の構造形態は実際に使用した経験から、使用上の揺れ動き方向がどれも不安定な状態にあり、経験不足で、バランス感の悪い初心者がうまくバランスを取れず、足がすぐ地面に着いたりすること、また、使用している間、足首が激しく動いたり、または自分の意思でうまく動けなくて、怪我などよく起こりやすいことが分かった。  
【０００４】
従来のもう一つのバランスボードは周知のように、シーソーに類似した構造形態であり、該踏み板の底部に設置された支持ユニットは通常、半円柱形態に設けられ、使用者がそれを踏んでいるとき、同一方向のみに揺れ動き、もう一つの方向は水平方向の決まった角度にあるが、このような従来のバランスボードは、上述した従来のバランスボードに比較すると、確かに安全性がだいぶ向上したわりに、使用形式があまりにも単調すぎるという問題点がある。  
【０００５】
上述した従来のバランスボードは使用上、それぞれの不十分な点が存在し、使用時の柔軟性と安全性を兼ね備えた、より理想的で実用性のあるオリジナルな構造を開発するのが、使用者が望むことで、関連業者が更に研究開発に取り組み、努力していく目標と方向でもある。  
【０００６】
それを鑑みて、発明者は、関連製品の製造開発及び設計に携わる長年の経験を持っており、上述した目標について、詳しく設計、慎重に評価したうえ、ようやく実用性のある本考案を得られたわけである。
【考案の概要】
【考案が解決しようとする課題】
【０００７】
本考案は、揺れ動きの幅の差別化機能付きバランスボードを提供することを目的とし、解決しようとする課題は、より理想で実用性のある新しいバランスボード構造を開発することである。
【課題を解決するための手段】
【０００８】
本考案の課題を解決するための技術特徴として、踏み板、少なくとも一つの弾性支持ユニット、第一軸方向支持部と第二軸方向支持部を備えてなり、該踏み板は板状で、踏み面と底面を備えてなり、該弾性支持ユニットは弾性構造で、地面に突き立てるための着地側、及び組み合わせにより踏み板の底面に設けられる取付側を備えてなり、該第一軸方向支持部は、該弾性支持ユニットの着地側にあり、第一軸方向に沿って設けられた第一軸方向支持部が備わり、それにより、踏み板が第一軸方向で上下に揺れ動くようになり、該第二軸方向は第一軸方向に垂直に配設されており、また、該第二軸方向支持部と第一軸方向支持部の両者は、形態が異なるように設けられ、使用者が該踏み板の第一軸方向に力を入れて踏んだときに生じた揺れ動きの幅が、使用者が踏み板の第二軸方向に力を入れて踏んだときに生じた揺れ動きの幅より大きくなり、本考案は背景技術に比べると、バランスボードが揺れ動きの幅の差異化機能と使用效果，を有するので、バランス感のトレーニングの柔軟性及び使用時の安全性を兼ね備え、使用者の使用する意欲と願望を大幅に満足させる実用性、進歩性がある。    
【考案の効果】
【０００９】
本考案による効果は次の通り。
【００１０】
本考案に掲示した“揺れ動きの幅の差別化機能付きバランスボード”は、踏み板、少なくとも一つの弾性支持ユニット、第一軸方向支持部と第二軸方向支持部を備えてなるオリジナルな構造形態設計であり、本考案は  ［背景技術］に述べた従来の技術に比べると、該第二軸方向支持部と第一軸方向支持部の両者の異なった形態を利用して、使用者が該踏み板の第一軸方向に力を入れて踏んだときに生じた揺れ動きの幅が、使用者が踏み板の第二軸方向に力を入れて踏んだときに生じた揺れ動きの幅より大きくなり、バランスボードに揺れ動きの幅の差異化機能と使用效果を持たせるように設けられることにより、バランス感のトレーニングの柔軟性及び使用時の安全性を兼ね備え、使用者の使用する意欲と願望を大幅に満足させる実用性、進歩性がある。
【００１１】
上述した実施例に掲示したのは、本考案を具体的に説明するために用いられる内容であり、文の中で専門用語で説明してきたが、それを以って本考案の登録請求範囲を制限されるものではなく、当業者は、本考案の精神やコンセプトを理解したうえ、その変更や改造を行って、それと同等な効果を得たとしても、それらの変更や改造は、後述の実用新案登録請求の範囲に含まれるものとする。
【図面の簡単な説明】
【００１２】
【図１】本考案の組立立体図。
【図２】本考案の局所分解立体図。
【図３】本考案の局所分解平面図。
【図４】使用者が踏み板の第二軸方向に力を入れて踏んだときの第一動作図。
【図５】使用者の踏み板の第二軸方向に力を入れて踏んだときの第二動作図。
【図６】本考案の使用者が踏み板の第一軸方向に力を入れて踏んだときの動作図。
【図７】本考案の二弾性支持ユニットの間にある踏み板の底面の真ん中の位置に更に硬質球状支持ユニットが組み合わさっている場合の実施例図。
【図８】本考案の弾性支持ユニットは横置き半円柱である場合の実施例図。
【図９】図８の踏み板の第一軸方向に力を入れたときの動作図。
【図１０】図８の踏み板の第二軸方向に力を入れたときの動作図。
【図１１】本考案の弾性支持ユニットは弾性フレームである場合の実施例図。
【図１２】本考案の踏み板の両側に縄引ユニットを設けたときの実施例図。
【図１３】本考案の弾性支持ユニットに空気充填孔を設けたときの実施例図。
【図１４】本考案の弾性支持ユニットは閉鎖形態である場合の実施例図。
【考案を実施するための形態】
【００１３】
図１〜図６に示すのは、本考案の揺れ動き難易度の差別化機能付きバランスボードの好適な実施例であり、これらの実施例は説明のみに用いられるもので、実用新案登録請求の際、それらの構造に制限されないものである。
【００１４】
図１〜６に示すように
板状で、踏み面１１と底面１２を備えてなる踏み板１０、
弾性構造で、地面に突き立てるための着地側２１、及び組み合わせにより踏み板１０の底面１２に設けられる取付側２２を備えてなる、少なくとも一つ弾性支持ユニット２０が備わり、図３に示すように、該弾性支持ユニット２０の取付側２２と踏み板１０の底面１２の間には対向して、相互に嵌め合い、位置が決められるオス、メス嵌合部２０１、１０１が設けられ、それにより、相互に嵌め合うようになるが、また、該弾性支持ユニット２０は、中空エアバッグに設けられてもよく（図１に示すように、該弾性支持ユニット２０は中空エアバッグの場合）、
該弾性支持ユニット２０の着地側２１にあり、第一軸方向３１に沿って設けられた第一軸方向支持部３０が備わり、それにより、踏み板１０が第一軸方向３１で上下に揺れ動くようになり、
該弾性支持ユニット２０の着地側２１にあり、第二軸方向４１に沿って設けられた第二軸方向支持部４０が備わり、それにより、踏み板１０が第二軸方向４１で上下に揺れ動くようになるが、該第二軸方向４１と第一軸方向３１が相互に直交している。
【００１５】
また、該第二軸方向支持部４０と第一軸方向支持部３０の両者は、形態が異なるように設けられ、使用者が該踏み板１０の第一軸方向３１に力を入れて踏んだときに生じた揺れ動きの幅が、使用者が踏み板の第二軸方向４１に力を入れて踏んだときに生じた揺れ動きの幅より大きくなり、それにより、バランスボードＡに揺れ動きの幅の差異化機能と使用效果を持たせるように設けられていることを特徴とする該バランスボードＡである。
【００１６】
また、本考案の他の実施例では、
該弾性支持ユニット２０は更に、弾性ソリッド芯材、弾性中空材（例えば、ゴム、シリコンなどの材料）、または図１１に示すように、該弾性支持ユニット２０Ｃは、弾性フレームの実施形態に設けられてもよいが、該弾性支持ユニット２０Ｃは、半円形の中空フレームであり、該弾性支持ユニット２０Ｃには更に踏み板１０の底面１２を組み入れるためのクリップスロット６０が設けられている。  
【００１７】
図７に示すように、間隔を開けて配置された該二弾性支持ユニット２０の間にある踏み板１０底面１２の真ん中の位置には更に、球状支持ユニット５０が組み合わさってもよく、その際該球状支持ユニット５０は硬質構造または軟質構造でもよく、そして、該球状支持ユニット５０の底部の突き出た長さが、二弾性支持ユニット２０の着地側２１の突き出た長さより長く設けられ、それにより、該バランスボードＡの難易度が高くなり、使用者のニーズに一致するようになる。  
【００１８】
図１２に示すように、該踏み板１０の両側には更に、縄引ユニット７０が設けられ、該縄引ユニット７０は、取っ手７１、縄７２、取付ユニット７３、及び該踏み板１０の両側にあり、取付ユニット７３に対応するための取付部７４を備えてなり、該取付部７４は、貫通孔（例えば、図１２の場合）またはスナップリング（図示せず）などで、該取付ユニット７３に取り付け可能な形態に設けられてもよいが、該縄７２は、弾性材料で作られてもよく、縄７２の伸縮性により、使用者のバランス感をサポートすると同時に、腰の回しや手部の伸ばしなど他のスポーツ形態に用いられる機能がある。
【００１９】
図１３、図１４に示すように、該弾性支持ユニット２０は中空エアバッグの形態に設けられる場合、該中空エアバッグの弾性支持ユニット２０には、空気充填孔８０を設けて（図１３）、それにより、使用者の好みに応じて、該弾性支持ユニット２０の堅さを調整することができるようにするか、または図１４に示すように、該弾性支持ユニット２０は内部のエアが簡単に漏れないような閉鎖形態に設けられてもよい。
【００２０】
上述した構造、組み合わせと設計により、本考案の使用作動状況について次のように説明する。
【００２１】
図１、図４、図５、図６に示すように、該弾性支持ユニット２０は、半球体且で、二組が間隔を開け、組み合わせで踏み板１０の底面１２に設けられるが、該半球体の二弾性支持ユニット２０の着地側２１が共に該第一軸方向支持部３０を構成することになり（図１または図６）、また、該二弾性支持ユニット２０の半球体からなるカーブ面が該第二軸方向支持部４０を構成することになり（図４〜図５に示すように、該第二軸方向支持部４０は二方向矢印で表示）、それにより、使用者が該踏み板１０の第一軸方向３１に力を入れて踏んだときに生じた揺れ動きの幅が、使用者が踏み板の第二軸方向４１に力を入れて踏んだときに生じた揺れ動きの幅より大きくなるため、使用者の第一軸方向３１に力を入れて踏んだときに揺れ動く幅が比較的に小さく（図６）、使用者の第二軸方向４１に力を入れて踏んだときに揺れ動く幅が比較的に大きくなり（図５）、すなわち、使用者がそれを使用しているとき、第二軸方向４１より、該第一軸方向３１のほうがより簡単にバランスを取れるのである。
【００２２】
図８〜図１０に示すように、該弾性支持ユニット２０Ｂは、横置き半円柱の外観で、単一で踏み板１０底面１２の中間セクションに配置されており、該横置き半円柱の外観からなる弾性支持ユニット２０Ｂは、柱状に伸びた側方向が該第一軸方向支持部３０を形成（図８〜図９に示すように、該第一軸方向支持部３０は二方向矢印で表示）、該弾性支持ユニット２０Ｂの半円形側方向が該第二軸方向支持部４０を形成（図８、図１０に示すように、該第二軸方向支持部４０は二方向矢印で表示）するが、それにより、使用者が該踏み板１０の第一軸方向３１に力を入れて踏んだときに生じた揺れ動きの幅が、使用者が踏み板の第二軸方向４１に力を入れて踏んだときに生じた揺れ動きの幅より大きくなるため、使用者の第一軸方向３１に力を入れて踏んだときに揺れ動く幅が比較的に小さく（図９）、使用者の第二軸方向４１に力を入れて踏んだときに揺れ動く幅が比較的に大きくなる（図１０）。
【００２３】
すなわち、第二軸方向４１より第一軸方向３１のほうが、より簡単にバランスを取ることができるようになる。上述したように従来の製品を使用しているとき、揺れ動き方向がどれも不安定な状態にあるため、足がすぐ地面に着いたり、使用者がよく怪我などしたりする状況に対して、本考案により、バランス感のトレーニングの柔軟性及び使用時の安全性を兼ね備え、使用者の使用する意欲と願望を大幅に満足させることができるのである。
【符号の説明】
【００２４】
バランスボード        Ａ            
踏み板                １０            
母嵌合部              １０１
踏み面                １１            
底面                  １２
弾性支持ユニット      ２０、２０Ｂ、２０Ｃ
公嵌合部              ２０１      
着地側                ２１
取付側                ２２                      
第一軸方向支持部      ３０            
第一軸方向            ３１
第二軸方向支持部      ４０            
第二軸方向            ４１
球状支持ユニット      ５０            
クリップスロット      ６０
縄引ユニット          ７０            
取っ手                ７１
縄                    ７２      
取付ユニット          ７３
取付部                ７４
空気充填孔            ８０
【図１】
0003173999.tif 000003
【図２】
0003173999.tif 000004
【図３】
0003173999.tif 000005
【図４】
0003173999.tif 000006
【図５】
0003173999.tif 000007
【図６】
0003173999.tif 000008
【図７】
0003173999.tif 000009
【図８】
0003173999.tif 000010
【図９】
0003173999.tif 000011
【図１０】
0003173999.tif 000012
【図１１】
0003173999.tif 000013
【図１２】
0003173999.tif 000014
【図１３】
0003173999.tif 000015
【図１４】
0003173999.tif 000016